(57)【特許請求の範囲】
【請求項１】
ネットワークを介してデバイスと端末とが接続するデバイス処理履歴格納システムにおいて、
前記端末は、
前記デバイスが作成する前記端末が依頼したデバイス処理の履歴を格納する位置情報を設定する位置情報設定手段と、
前記デバイスに対して前記デバイス処理を依頼する前に、前記位置情報設定手段で設定した位置情報を該デバイスに送信する位置情報送信手段と、
前記位置情報送信手段で送信した位置情報が前記デバイスで許可された際に、該デバイスに対して前記デバイス処理を依頼する処理依頼手段と、
前記位置情報が示す位置に格納されている前記履歴を要求する履歴要求手段と、
前記履歴要求手段による要求に応じて送信されてきた履歴を表示する表示手段と
を具備し、
前記デバイスは、
前記端末からの位置情報を受信する位置情報受信手段と、
前記位置情報受信手段で受信した位置情報と、他の端末から受信した位置情報との重複を確認する重複確認手段と、
前記重複確認手段で前記位置情報が重複していないことを確認した際に、該位置情報を許可する旨を前記端末に通知する許可通知手段と、
前記端末から受け付けた依頼に従って前記デバイス処理を行うデバイス処理手段と、
前記デバイス処理手段が行ったデバイス処理の履歴を作成する履歴作成手段と、
前記履歴作成手段で作成した履歴を前記位置情報が示す位置に格納する履歴格納手段と
を具備することを特徴とするデバイス処理履歴格納システム。
【請求項２】
前記デバイスは、
前記履歴を格納する履歴格納領域と、
前記履歴格納手段が前記履歴を前記履歴格納領域に格納した際に、前記端末から受け付けた履歴の要求に応じて、該履歴を該端末に送信する履歴送信手段と
を具備することを特徴とする請求項１記載のデバイス処理履歴格納システム。
【請求項３】
前記デバイスは、
前記重複確認手段で前記位置情報が重複していることを確認した際に、該位置情報と異なる位置情報を前記端末に対して提案する位置情報提案手段
を具備することを特徴とする請求項２記載のデバイス処理履歴格納システム。
【請求項４】
前記デバイスは、
前記端末から前記位置情報を受信する、または前記端末から履歴の要求を受け付ける際に、該端末の端末情報を取得する端末情報取得手段
を具備し、
前記履歴格納手段は、
前記位置情報が示す位置に前記履歴とともに前記端末情報取得手段で取得した端末情報を格納し、
前記履歴送信手段は、
前記端末情報取得手段で取得した端末情報に基づき、該端末情報とともに格納されている履歴を識別し、
該識別した履歴を前記端末に送信する
ことを特徴とする請求項２記載のデバイス処理履歴格納システム。
【請求項５】
前記デバイスは、
前記位置情報が示す位置が前記ネットワークに接続する外部格納装置である場合、前記外部格納装置への前記履歴の格納が可能であるか否か確認する外部格納装置確認手段と、
前記外部格納装置確認手段で前記履歴の格納が不可能であると確認した場合、前記位置情報と異なる位置情報を前記端末に対して提案する位置情報提案手段と
を具備し、
前記履歴格納手段は、
前記外部格納装置確認手段で前記履歴の格納が可能であると確認した場合、前記外部格納装置の前記位置情報が示す位置に該履歴を格納する
ことを特徴とする請求項１記載のデバイス処理履歴格納システム。
【請求項６】
ネットワークを介して接続する端末からの依頼を受け付けてデバイス処理を行うデバイスにおいて、
前記端末から該端末が依頼したデバイス処理の履歴を格納する位置情報を受信する位置情報受信手段と、
前記位置情報受信手段で受信した位置情報と、他の端末から受信した位置情報との重複を確認する重複確認手段と、
前記重複確認手段で前記位置情報が重複していないことを確認した際に、該位置情報を許可する旨を前記端末に通知する許可通知手段と、
前記端末から受け付けた依頼に従って前記デバイス処理を行うデバイス処理手段と、
前記デバイス処理手段が行ったデバイス処理の履歴を作成する履歴作成手段と、
前記履歴作成手段で作成した履歴を前記位置情報が示す位置に格納する履歴格納手段と
を具備することを特徴とするデバイス。
【請求項７】
前記履歴を格納する履歴格納領域と、
前記履歴格納手段が前記履歴を前記履歴格納領域に格納した際に、前記端末から受け付けた履歴の要求に応じて、該履歴を該端末に送信する履歴送信手段と
を更に具備することを特徴とする請求項６記載のデバイス。
【請求項８】
前記重複確認手段で前記位置情報が重複していることを確認した際に、該位置情報と異なる位置情報を前記端末に対して提案する位置情報提案手段
を更に具備することを特徴とする請求項７記載のデバイス。
【請求項９】
前記端末から前記位置情報を受信する、または前記端末から履歴の要求を受け付ける際に、該端末の端末情報を取得する端末情報取得手段
を更に具備し、
前記履歴格納手段は、
前記位置情報が示す位置に前記履歴とともに前記端末情報取得手段で取得した端末情報を格納し、
前記履歴送信手段は、
前記端末情報取得手段で取得した端末情報に基づき、該端末情報とともに格納されている履歴を識別し、
該識別した履歴を前記端末に送信する
ことを特徴とする請求項７記載のデバイス。
【請求項１０】
前記位置情報が示す位置が前記ネットワークに接続する外部格納装置である場合、前記外部格納装置への前記履歴の格納が可能であるか否か確認する外部格納装置確認手段と、
前記外部格納装置確認手段で前記履歴の格納が不可能であると確認した場合、前記位置情報と異なる位置情報を前記端末に対して提案する位置情報提案手段と
を更に具備し、
前記履歴格納手段は、
前記外部格納装置確認手段で前記履歴の格納が可能であると確認した場合、前記外部格納装置の前記位置情報が示す位置に該履歴を格納する
ことを特徴とする請求項６記載のデバイス。
【請求項１１】
ネットワークを介して接続するデバイスと端末とで行われるデバイス処理履歴格納方法において、
前記端末は、
前記デバイスが作成する前記端末が依頼したデバイス処理の履歴を格納する位置情報を設定し、
前記デバイスに対して前記デバイス処理を依頼する前に、前記位置情報設定手段で設定した位置情報を該デバイスに送信し、
前記デバイスは、
前記端末からの位置情報を受信し、
該受信した位置情報と、他の端末から受信した位置情報との重複を確認し、
前記位置情報が重複していないことを確認した際に、該位置情報を許可する旨を前記端末に通知し、
前記端末は、
前記デバイスから前記位置情報を許可する旨を受け付けた際に、該デバイスに対して前記デバイス処理を依頼し、
前記デバイスは、
前記端末から受け付けた依頼に従って前記デバイス処理を行い、
前記行ったデバイス処理の履歴を作成し、
該作成した履歴を前記位置情報が示す位置に格納する
ことを特徴とするデバイス処理履歴格納方法。
【請求項１２】
前記デバイスは、
前記履歴を前記デバイスが具備する履歴格納領域に格納し、
前記端末は、
前記格納領域内の前記位置情報が示す位置に格納されている前記履歴を前記デバイスに要求し、
前記デバイスは、
前記端末から受け付けた履歴の要求に応じて、該履歴を該端末に送信し、
前記端末は、
前記デバイスから受信した履歴を表示する
ことを特徴とする請求項１１記載のデバイス処理履歴格納方法。
【請求項１３】
前記デバイスは、
前記位置情報が重複していることを確認した際に、該位置情報と異なる位置情報を前記端末に対して提案する
ことを特徴とする請求項１２記載のデバイス処理履歴格納。
【請求項１４】
前記デバイスは、
前記端末から前記位置情報を受信する、または前記端末から履歴の要求を受け付ける際に、該端末の端末情報を取得し、
前記位置情報が示す位置に前記履歴とともに、前記端末から該位置情報を受信する際に取得した端末情報を格納し、
前記端末から履歴の要求を受け付ける際に取得した端末情報に基づき、該端末情報とともに格納されている履歴を識別し、
該識別した履歴を前記端末に送信する
ことを特徴とする請求項１２記載のデバイス処理履歴格納方法。
【請求項１５】
前記デバイスは、
前記位置情報が示す位置が前記ネットワークに接続する外部格納装置である場合、前記外部格納装置への前記履歴の格納が可能であるか否か確認し、
前記外部格納装置確認手段で前記履歴の格納が不可能であると確認した場合、前記位置情報と異なる位置情報を前記端末に対して提案し、
前記外部格納装置確認手段で前記履歴の格納が可能であると確認した場合、前記外部格納装置の前記位置情報が示す位置に該履歴を格納する
ことを特徴とする請求項１１記載のデバイス処理履歴格納方法。
【発明の詳細な説明】
【技術分野】
【０００１】
本発明は、デバイス、デバイス処理履歴格納システムおよびデバイス処理履歴格納方法に関し、特に、デバイスでの処理の履歴を所望の場所に格納するためのデバイス、デバイス処理履歴格納システムおよびデバイス処理履歴格納方法に関する。
【背景技術】
【０００２】
従来、印刷装置等のデバイスは、デバイスで処理されたジョブの履歴（以後、ジョブ履歴と称する）を表示する機能を有している。
【０００３】
例えば、印刷装置にＷｅｂサーバを設け、当該Ｗｅｂサーバにより印刷装置における印刷処理の進歩状況を簡単に取得でき、更に、その進歩状況をページ数だけでなく、内容的に直ちに認識できるようにしたプリントシステム、印刷装置、プログラムがある（例えば、特許文献１参照。）。
【特許文献１】特開２００３−２８０８６７号公報
【発明の開示】
【発明が解決しようとする課題】
【０００４】
しかし、デバイスを利用したユーザは当該デバイスでの自分のジョブ履歴を確認したいと考えている。そこで、デバイス利用者がユーザ登録を行い、ユーザ認証を行うことで、自分のジョブ履歴を確認することができるが、ユーザ登録の手間が面倒であり、更に、ユーザ登録のために記憶領域を確保する必要があり、コストがアップするという問題がある。
【０００５】
そこで、本発明は、上記問題点を鑑みて、デバイスを利用したユーザが容易に自分のジョブ履歴を参照することが可能なデバイス、デバイス処理履歴格納システムおよびデバイス処理履歴格納方法を提供することを目的とする。
【課題を解決するための手段】
【０００６】
上記目的を達成するため、請求項１の発明は、ネットワークを介してデバイスと端末とが接続するデバイス処理履歴格納システムにおいて、前記端末は、前記デバイスが作成する前記端末が依頼したデバイス処理の履歴を格納する位置情報を設定する位置情報設定手段と、前記デバイスに対して前記デバイス処理を依頼する前に、前記位置情報設定手段で設定した位置情報を該デバイスに送信する位置情報送信手段と、前記位置情報送信手段で送信した位置情報が前記デバイスで許可された際に、該デバイスに対して前記デバイス処理を依頼する処理依頼手段と、前記位置情報が示す位置に格納されている前記履歴を要求する履歴要求手段と、前記履歴要求手段による要求に応じて送信されてきた履歴を表示する表示手段とを具備し、前記デバイスは、前記端末からの位置情報を受信する位置情報受信手段と、前記位置情報受信手段で受信した位置情報と、他の端末から受信した位置情報との重複を確認する重複確認手段と、前記重複確認手段で前記位置情報が重複していないことを確認した際に、該位置情報を許可する旨を前記端末に通知する許可通知手段と、前記端末から受け付けた依頼に従って前記デバイス処理を行うデバイス処理手段と、前記デバイス処理手段が行ったデバイス処理の履歴を作成する履歴作成手段と、前記履歴作成手段で作成した履歴を前記位置情報が示す位置に格納する履歴格納手段とを具備することを特徴とする。
【０００７】
また、請求項２の発明は、請求項１の発明において、前記デバイスは、前記履歴を格納する履歴格納領域と、前記履歴格納手段が前記履歴を前記履歴格納領域に格納した際に、前記端末から受け付けた履歴の要求に応じて、該履歴を該端末に送信する履歴送信手段とを具備することを特徴とする。
【０００８】
また、請求項３の発明は、請求項２の発明において、前記デバイスは、前記重複確認手段で前記位置情報が重複していることを確認した際に、該位置情報と異なる位置情報を前記端末に対して提案する位置情報提案手段を具備することを特徴とする。
【０００９】
また、請求項４の発明は、請求項２の発明において、前記デバイスは、前記端末から前記位置情報を受信する、または前記端末から履歴の要求を受け付ける際に、該端末の端末情報を取得する端末情報取得手段を具備し、前記履歴格納手段は、前記位置情報が示す位置に前記履歴とともに前記端末情報取得手段で取得した端末情報を格納し、前記履歴送信手段は、前記端末情報取得手段で取得した端末情報に基づき、該端末情報とともに格納されている履歴を識別し、該識別した履歴を前記端末に送信することを特徴とする。
【００１０】
また、請求項５の発明は、請求項１の発明において、前記デバイスは、前記位置情報が示す位置が前記ネットワークに接続する外部格納装置である場合、前記外部格納装置への前記履歴の格納が可能であるか否か確認する外部格納装置確認手段と、前記外部格納装置確認手段で前記履歴の格納が不可能であると確認した場合、前記位置情報と異なる位置情報を前記端末に対して提案する位置情報提案手段とを具備し、前記履歴格納手段は、前記外部格納装置確認手段で前記履歴の格納が可能であると確認した場合、前記外部格納装置の前記位置情報が示す位置に該履歴を格納することを特徴とする。
【００１１】
また、請求項６の発明は、ネットワークを介して接続する端末からの依頼を受け付けてデバイス処理を行うデバイスにおいて、前記端末から該端末が依頼したデバイス処理の履歴を格納する位置情報を受信する位置情報受信手段と、前記位置情報受信手段で受信した位置情報と、他の端末から受信した位置情報との重複を確認する重複確認手段と、前記重複確認手段で前記位置情報が重複していないことを確認した際に、該位置情報を許可する旨を前記端末に通知する許可通知手段と、前記端末から受け付けた依頼に従って前記デバイス処理を行うデバイス処理手段と、前記デバイス処理手段が行ったデバイス処理の履歴を作成する履歴作成手段と、前記履歴作成手段で作成した履歴を前記位置情報が示す位置に格納する履歴格納手段とを具備することを特徴とする。
【００１２】
また、請求項７の発明は、請求項６の発明において、前記履歴を格納する履歴格納領域と、前記履歴格納手段が前記履歴を前記履歴格納領域に格納した際に、前記端末から受け付けた履歴の要求に応じて、該履歴を該端末に送信する履歴送信手段とを更に具備することを特徴とする。
【００１３】
また、請求項８の発明は、請求項７の発明において、前記重複確認手段で前記位置情報が重複していることを確認した際に、該位置情報と異なる位置情報を前記端末に対して提案する位置情報提案手段を更に具備することを特徴とする。
【００１４】
また、請求項９の発明は、請求項７の発明において、前記端末から前記位置情報を受信する、または前記端末から履歴の要求を受け付ける際に、該端末の端末情報を取得する端末情報取得手段を更に具備し、前記履歴格納手段は、前記位置情報が示す位置に前記履歴とともに前記端末情報取得手段で取得した端末情報を格納し、前記履歴送信手段は、前記端末情報取得手段で取得した端末情報に基づき、該端末情報とともに格納されている履歴を識別し、該識別した履歴を前記端末に送信することを特徴とする。
【００１５】
また、請求項１０の発明は、請求項６の発明において、前記位置情報が示す位置が前記ネットワークに接続する外部格納装置である場合、前記外部格納装置への前記履歴の格納が可能であるか否か確認する外部格納装置確認手段と、前記外部格納装置確認手段で前記履歴の格納が不可能であると確認した場合、前記位置情報と異なる位置情報を前記端末に対して提案する位置情報提案手段とを更に具備し、前記履歴格納手段は、前記外部格納装置確認手段で前記履歴の格納が可能であると確認した場合、前記外部格納装置の前記位置情報が示す位置に該履歴を格納することを特徴とする。
【００１６】
また、請求項１１の発明は、ネットワークを介して接続するデバイスと端末とで行われるデバイス処理履歴格納方法において、前記端末は、前記デバイスが作成する前記端末が依頼したデバイス処理の履歴を格納する位置情報を設定し、前記デバイスに対して前記デバイス処理を依頼する前に、前記位置情報設定手段で設定した位置情報を該デバイスに送信し、前記デバイスは、前記端末からの位置情報を受信し、該受信した位置情報と、他の端末から受信した位置情報との重複を確認し、前記位置情報が重複していないことを確認した際に、該位置情報を許可する旨を前記端末に通知し、前記端末は、前記デバイスから前記位置情報を許可する旨を受け付けた際に、該デバイスに対して前記デバイス処理を依頼し、前記デバイスは、前記端末から受け付けた依頼に従って前記デバイス処理を行い、前記行ったデバイス処理の履歴を作成し、該作成した履歴を前記位置情報が示す位置に格納することを特徴とする。
【００１７】
また、請求項１２の発明は、請求項１１の発明において、前記デバイスは、前記履歴を前記デバイスが具備する履歴格納領域に格納し、前記端末は、前記格納領域内の前記位置情報が示す位置に格納されている前記履歴を前記デバイスに要求し、前記デバイスは、前記端末から受け付けた履歴の要求に応じて、該履歴を該端末に送信し、前記端末は、前記デバイスから受信した履歴を表示することを特徴とする。
【００１８】
また、請求項１３の発明は、請求項１２の発明において、前記デバイスは、前記位置情報が重複していることを確認した際に、該位置情報と異なる位置情報を前記端末に対して提案することを特徴とする。
【００１９】
また、請求項１４の発明は、請求項１２の発明において、前記デバイスは、前記端末から前記位置情報を受信する、または前記端末から履歴の要求を受け付ける際に、該端末の端末情報を取得し、前記位置情報が示す位置に前記履歴とともに、前記端末から該位置情報を受信する際に取得した端末情報を格納し、前記端末から履歴の要求を受け付ける際に取得した端末情報に基づき、該端末情報とともに格納されている履歴を識別し、該識別した履歴を前記端末に送信することを特徴とする。
【００２０】
また、請求項１５の発明は、請求項１１の発明において、前記デバイスは、前記位置情報が示す位置が前記ネットワークに接続する外部格納装置である場合、前記外部格納装置への前記履歴の格納が可能であるか否か確認し、前記外部格納装置確認手段で前記履歴の格納が不可能であると確認した場合、前記位置情報と異なる位置情報を前記端末に対して提案し、前記外部格納装置確認手段で前記履歴の格納が可能であると確認した場合、前記外部格納装置の前記位置情報が示す位置に該履歴を格納することを特徴とする。
【発明の効果】
【００２１】
本発明によれば、デバイスを利用したユーザが容易に自分のジョブ履歴を参照することが可能になるとともに、他のユーザに自分のジョブ履歴を参照されにくいことから、セキュリティが向上するという効果を奏する。
【発明を実施するための最良の形態】
【００２２】
以下、本発明に係るデバイス、デバイス処理履歴格納システムおよびデバイス処理履歴格納方法の実施の形態について添付図面を参照して詳細に説明する。なお、本発明に係るデバイスの対象はプリンタ、スキャナ、ルータ等のような履歴を保存・管理する機能を有する機器であり、本実施例では、プリンタを一例にして説明する。
【実施例１】
【００２３】
図１は、本発明に係るデバイス処理履歴格納システムの実施例１を示すシステム構成図である。
【００２４】
図１に示すように、本発明に係るデバイスであるプリンタ１と、デスクトップＰＣ［Personal Computer］、ノートＰＣ等の端末２とがネットワーク３を介して接続している。
【００２５】
端末２にはプリンタ１に対応するデバイスドライバであるプリンタドライバ４、Ｗｅｂブラウザ５がインストールされている。
【００２６】
プリンタドライバ４は、端末２のアプリケーションで作成したファイルをプリンタ１で印刷する際に、ファイルに基づいて印刷データを生成してプリンタ１に印刷依頼する処理を行う。
【００２７】
更に、プリンタドライバ４は印刷履歴格納場所設定手段６を具備し、印刷履歴格納場所設定手段６はプリンタ１に対し、端末２から印刷依頼した印刷履歴の格納場所（例えば、ＵＲＬ［Uniform Resource Locator］等）を設定するものである。端末２は印刷依頼時に印刷履歴格納場所設定手段６に設定された格納場所に印刷履歴を格納するようにプリンタ１に対してＰＪＬ［Printer Job Language］コマンド（プリンタ１で印刷処理中の印刷ジョブを制御するための機能を提供する印刷用のコマンド言語）等により指示する。
【００２８】
プリンタ１はネットワーク３を介して端末２からの印刷データを受信すると、印刷データの印刷処理を行う。なお、プリンタ１のＵＲＬは「http://Printer1.xxx.co.jp」である。
【００２９】
更に、プリンタ１は印刷履歴保管手段７を具備し、プリンタ１が行った印刷処理に関する情報（例えば、ジョブ名、ユーザ名、時刻、印刷枚数等）を印刷履歴として保存・管理する。
【００３０】
次に、端末およびプリンタで行われる端末の印刷履歴の格納場所を決定する処理の流れについて図２に示すシーケンス図を参照して説明する。
【００３１】
当該処理が開始する前に端末の所有者であるユーザは、プリンタドライバの印刷履歴格納場所設定手段にプリンタ内の保存領域を示す格納場所（例えば、ＵＲＬ＝http://Printer1.xxx.co.jp/PC08000372a0123.html）を設定する。
【００３２】
当該処理は端末からプリンタに初めて印刷依頼する際に開始される。
【００３３】
端末はプリンタドライバの印刷履歴格納場所設定手段に設定されたＵＲＬをプリンタに通知する（ステップＳ２０１）。
【００３４】
プリンタは端末からのＵＲＬの通知を受け付けると、ＵＲＬの正当性を確認（例えば、ＵＲＬとして使用できない文字、使用できない場所が指定されているか確認すること）し（ステップＳ２０２）、ＵＲＬが正当であれば、印刷履歴の格納場所として当該ＵＲＬを許可するＯＫ通知を端末に送信する（ステップＳ２０３）。
【００３５】
端末はプリンタからのＯＫ通知を受信すると、プリンタドライバが印刷データをプリンタに送信する（ステップＳ２０４）。
【００３６】
プリンタは端末からの印刷データを受信すると、印刷データの印刷処理を行い（ステップＳ２０５）、当該印刷処理の印刷履歴を当該ＵＲＬ先に格納する（ステップＳ２０６）。
【００３７】
そして、印刷履歴を参照する場合、端末はＷｅｂブラウザで当該ＵＲＬを指定してプリンタにアクセスし、印刷履歴の参照をプリンタに要求する（ステップＳ２０７）。
【００３８】
プリンタは端末からの印刷履歴の参照の要求を受け付けると、当該ＵＲＬに格納された印刷履歴を端末に送信する（ステップＳ２０８）。
【００３９】
端末はプリンタからの印刷履歴を受信すると、当該印刷履歴をＷｅｂブラウザ等で表示する（ステップＳ２０９）。
【００４０】
図３は、印刷履歴保管手段で保管している印刷履歴の一例を示す図である。
【００４１】
図３に示すように、各々の端末が指定した格納場所に各々の端末から印刷依頼した印刷履歴が保存されている。
【実施例２】
【００４２】
図４は、本発明に係るデバイス処理履歴格納システムの実施例２を示すシステム構成図である。なお、実施例２では、端末Ｂ２２の印刷履歴の格納場所として「ＵＲＬ＝http://Printer1.xxx.co.jp/PC00001.html」が決定している場合を想定している。
【００４３】
図４に示すように、本発明に係るデバイスであるプリンタ１と、デスクトップＰＣ、ノートＰＣ等の端末Ａ２１、端末Ｂ２２とがネットワーク３を介して接続している。
【００４４】
端末Ａ２１、端末Ｂ２２にはプリンタ１に対応するデバイスドライバであるプリンタドライバ（４１、４２）、Ｗｅｂブラウザ（５１、５２）がインストールされている。
【００４５】
プリンタドライバ（４１、４２）は、端末（２１、２２）のアプリケーションで作成したファイルをプリンタ１で印刷する際に、ファイルに基づいて印刷データを生成してプリンタ１に印刷依頼する処理を行う。
【００４６】
更に、プリンタドライバ（４１、４２）は印刷履歴格納場所設定手段（６１、６２）を具備し、印刷履歴格納場所設定手段（６１、６２）はプリンタ１に対し、端末（２１、２２）から印刷依頼した印刷履歴の格納場所（例えば、ＵＲＬ等）を設定するものである。端末（２１、２２）は印刷依頼時に印刷履歴格納場所設定手段（６１、６２）に設定された格納場所に印刷履歴を格納するようにプリンタ１に対してＰＪＬコマンド等により指示する。
【００４７】
プリンタ１はネットワーク３を介して端末（２１、２２）からの印刷データを受信すると、印刷データの印刷処理を行う。なお、プリンタ１のＵＲＬは「http://Printer1.xxx.co.jp」である。
【００４８】
更に、プリンタ１は印刷履歴保管手段７を具備し、プリンタ１が行った印刷処理に関する情報（例えば、ジョブ名、ユーザ名、時刻、印刷枚数等）を印刷履歴として保存・管理する。
【００４９】
ただし、図４に示すように、端末Ｂ２２の印刷履歴の格納場所として「ＵＲＬ＝http://Printer1.xxx.co.jp/PC00001.html」が決定している（プリンタ１の印刷履歴保管手段７に端末Ｂ用印刷履歴格納場所が「ＵＲＬ＝http://Printer1.xxx.co.jp/PC00001.html」に設定されている）。
【００５０】
端末Ａ２１が端末Ａ２１の印刷履歴を端末Ｂ２２の印刷履歴の格納場所と同一の「ＵＲＬ＝http://Printer1.xxx.co.jp/PC00001.html」に格納するようにプリンタ１に対して指示すると、プリンタ１は端末Ａ２１に対して別の格納場所を提案する。端末Ａ２１はプリンタ１から提案された別の格納場所で良ければ、端末Ａ２１の印刷履歴を当該格納場所に格納するようにプリンタ１に対して指示する。また、端末Ａ２１はプリンタ１から提案された別の格納場所以外の格納場所にしたければ、新たな格納場所を印刷履歴保管手段６１に設定し、端末Ａ２１の印刷履歴を当該格納場所に格納するようにプリンタ１に対して指示する。
【００５１】
次に、端末Ａおよびプリンタで行われる端末Ａの印刷履歴の格納場所を決定する処理の流れについて図５に示すシーケンス図を参照して説明する。
【００５２】
当該処理が開始する前に端末Ａの所有者であるユーザは、プリンタドライバの印刷履歴格納場所設定手段にプリンタ内の保存領域を示す格納場所（例えば、ＵＲＬ＝http://Printer1.xxx.co.jp/PC00001.html）を設定する。
【００５３】
当該処理は端末Ａからプリンタに初めて印刷依頼する際に開始される。
【００５４】
端末Ａはプリンタドライバの印刷履歴格納場所設定手段に設定されたＵＲＬをプリンタに通知する（ステップＳ５０１）。
【００５５】
プリンタは端末ＡからのＵＲＬの通知を受け付けると、ＵＲＬの不当性（即ち、ＵＲＬが重複）を確認すると（ステップＳ５０２）、印刷履歴の別の格納場所として別ＵＲＬ（例えば、「ＵＲＬ＝http://Printer1.xxx.co.jp/PC00002.html」）を端末に提案する（ステップＳ５０３）。
【００５６】
端末Ａはプリンタからの別ＵＲＬを受け付けると、当該別ＵＲＬで良い場合、端末Ａは当該別ＵＲＬをプリンタに通知する（ステップ５３０４）。なお、プリンタから提案された別ＵＲＬで良くない場合、新たなＵＲＬを印刷履歴格納場所設定手段に設定し、端末Ａは当該新たなＵＲＬをプリンタに通知する。ただし、新たなＵＲＬが重複する場合は再びプリンタから別ＵＲＬが提案されることになる。
【００５７】
プリンタは端末Ａからの別ＵＲＬの通知を受け付けると、別ＵＲＬの正当性を確認し（ステップＳ５０５）、別ＵＲＬが正当であれば、印刷履歴の格納場所として当該別ＵＲＬを許可するＯＫ通知を端末Ａに送信する（ステップＳ５０６）。
【００５８】
端末ＡはプリンタからのＯＫ通知を受信すると、プリンタドライバが印刷データをプリンタに送信する（ステップＳ５０７）。
【００５９】
プリンタは端末Ａからの印刷データを受信すると、印刷データの印刷処理を行い（ステップＳ５０８）、当該印刷処理の印刷履歴を当該別ＵＲＬ先に格納する（ステップＳ５０９）。
【００６０】
そして、印刷履歴を参照する場合、端末ＡはＷｅｂブラウザで当該別ＵＲＬを指定してプリンタにアクセスし、印刷履歴の参照をプリンタに要求する（ステップＳ５１０）。
【００６１】
プリンタは端末Ａからの印刷履歴の参照の要求を受け付けると、当該別ＵＲＬに格納された印刷履歴を端末Ａに送信する（ステップＳ５１１）。
【００６２】
端末Ａはプリンタからの印刷履歴を受信すると、当該印刷履歴をＷｅｂブラウザ等で表示する（ステップＳ５１２）。
【００６３】
図６は、印刷履歴保管手段で保管している印刷履歴の一例を示す図である。
【００６４】
図６に示すように、格納場所「ＵＲＬ＝http://Printer1.xxx.co.jp/PC00001.html」には端末Ｂの印刷履歴が保存され、格納場所「ＵＲＬ＝http://Printer1.xxx.co.jp/PC00002.html」には端末Ａの印刷履歴が保存されている。
【実施例３】
【００６５】
図７は、本発明に係るデバイス処理履歴格納システムの実施例３を示すシステム構成図である。
【００６６】
図７に示すように、本発明に係るデバイスであるプリンタ１と、デスクトップＰＣ、ノートＰＣ等の端末２と、多数のファイルを保管するファイルサーバ等の外部サーバ８とがネットワーク３を介して接続している。
【００６７】
端末２にはプリンタ１に対応するデバイスドライバであるプリンタドライバ４、Ｗｅｂブラウザ５がインストールされている。
【００６８】
プリンタドライバ４は、端末２のアプリケーションで作成したファイルをプリンタ１で印刷する際に、ファイルに基づいて印刷データを生成してプリンタ１に印刷依頼する処理を行う。
【００６９】
更に、プリンタドライバ４は印刷履歴格納場所設定手段６を具備し、印刷履歴格納場所設定手段６はプリンタ１に対し、端末２から印刷依頼した印刷履歴の格納場所（例えば、ＵＲＬ等）を設定するものである。端末２は印刷依頼時に印刷履歴格納場所設定手段６に設定された格納場所に印刷履歴を格納するようにプリンタ１に対してＰＪＬコマンド等により指示する。
【００７０】
プリンタ１はネットワーク３を介して端末２からの印刷データを受信すると、印刷データの印刷処理を行う。なお、プリンタ１のＵＲＬは「http://Printer1.xxx.co.jp」である。
【００７１】
更に、プリンタ１は印刷履歴保管手段７を具備し、プリンタ１が行った印刷処理に関する情報（例えば、ジョブ名、ユーザ名、時刻、印刷枚数等）を印刷履歴として保存・管理する。
【００７２】
外部サーバ８は、プリンタ１の印刷履歴を保管することができる。なお、アクセスする際にユーザＩＤおよびパスワードが必要な外部サーバもある。なお、外部サーバのＵＲＬは「http://Server1.xxx.co.jp」である。
【００７３】
端末２が印刷履歴を外部サーバ８に格納するようにプリンタ１に対して指示すると、プリンタ１は外部サーバ８にアクセスし、印刷履歴の格納および更新が可能であれば、端末２の印刷履歴を外部サーバ８に格納する。
【００７４】
次に、端末、プリンタおよび外部サーバで行われる端末の印刷履歴の格納場所を決定する処理の流れについて図８に示すシーケンス図を参照して説明する。
【００７５】
当該処理が開始する前に端末の所有者であるユーザは、プリンタドライバの印刷履歴格納場所設定手段に外部サーバ内の保存領域を示す格納場所（例えば、ＵＲＬ＝http://Server1.xxx.co.jp/PrintJobList/PC0001.html）を設定する。
【００７６】
当該処理は端末からプリンタに初めて印刷依頼する際に開始される。
【００７７】
端末はプリンタドライバの印刷履歴格納場所設定手段に設定されたＵＲＬと、外部サーバにアクセスするために必要なユーザＩＤおよびパスワードとをプリンタに通知する（ステップＳ８０１）。なお、外部サーバにアクセスするためのユーザＩＤおよびパスワードが不要であれば、通知する必要はない。
【００７８】
プリンタは端末からのＵＲＬとユーザＩＤとパスワードとの通知を受け付けると、当該ＵＲＬで指定された外部サーバに当該ユーザＩＤおよびパスワードを使用してアクセスする（ステップＳ８０２）。
【００７９】
外部サーバはプリンタからのアクセスを受け付け、外部サーバへのアクセスおよび印刷履歴の格納・更新が可能であれば、その旨をプリンタに通知する（ステップＳ８０３）。
【００８０】
プリンタは外部サーバからのアクセス可能および印刷履歴の格納・更新可能の通知を受け付けると、印刷履歴の格納場所として当該ＵＲＬを許可するＯＫ通知を端末に送信する（ステップＳ８０４）。
【００８１】
端末はプリンタからのＯＫ通知を受信すると、プリンタドライバが印刷データをプリンタに送信する（ステップＳ８０５）。
【００８２】
プリンタは端末からの印刷データを受信すると、印刷データの印刷処理を行い（ステップＳ８０６）、当該印刷処理の印刷履歴を外部サーバに送信する（ステップＳ８０７）。
【００８３】
外部サーバはプリンタから印刷履歴を受信すると、当該印刷履歴を指定された当該ＵＲＬに格納する（ステップＳ８０８）。
【００８４】
そして、印刷履歴を参照する場合、端末はＷｅｂブラウザで当該ＵＲＬを指定して外部サーバにアクセスし、印刷履歴の参照を外部サーバに要求する（ステップＳ８０９）。
【００８５】
外部サーバは端末からの印刷履歴の参照の要求を受け付けると、当該ＵＲＬに格納された印刷履歴を端末に送信する（ステップＳ８１０）。
【００８６】
端末は外部サーバからの印刷履歴を受信すると、当該印刷履歴をＷｅｂブラウザ等で表示する（ステップＳ８１１）。
【実施例４】
【００８７】
図９は、本発明に係るデバイス処理履歴格納システムの実施例４を示すシステム構成図である。
【００８８】
図９に示すように、本発明に係るデバイスであるプリンタ１と、デスクトップＰＣ、ノートＰＣ等の端末Ａ２１、端末Ｂ２２とがネットワーク３を介して接続している。
【００８９】
端末Ａ２１、端末Ｂ２２にはプリンタ１に対応するデバイスドライバであるプリンタドライバ（４１、４２）、Ｗｅｂブラウザ（５１、５２）がインストールされている。
【００９０】
プリンタドライバ（４１、４２）は、端末（２１、２２）のアプリケーションで作成したファイルをプリンタ１で印刷する際に、ファイルに基づいて印刷データを生成してプリンタ１に印刷依頼する処理を行う。
【００９１】
更に、プリンタドライバ（４１、４２）は印刷履歴格納場所設定手段（６１、６２）を具備し、印刷履歴格納場所設定手段（６１、６２）はプリンタ１に対し、端末（２１、２２）から印刷依頼した印刷履歴の格納場所（例えば、ＵＲＬ等）を設定するものである。端末（２１、２２）は印刷依頼時に印刷履歴格納場所設定手段（６１、６２）に設定された格納場所に印刷履歴を格納するようにプリンタ１に対してＰＪＬコマンド等により指示する。
【００９２】
プリンタ１はネットワーク３を介して端末（２１、２２）からの印刷データを受信すると、印刷データの印刷処理を行う。なお、プリンタ１のＵＲＬは「http://Printer1.xxx.co.jp」である。
【００９３】
更に、プリンタ１は印刷履歴保管手段７を具備し、プリンタ１が行った印刷処理に関する情報（例えば、ジョブ名、ユーザ名、時刻、印刷枚数等）を印刷履歴として保存・管理する。印刷履歴保管手段７は格納場所の重複時の動作として４つのモードを有している。
【００９４】
１．別の格納場所を端末に提案する重複不許可モード（実施例２に対応する）
２．印刷履歴を上書き保存する上書き重複許可モード
３．印刷履歴を追記する追記重複許可モード
４．端末情報（例えば、ＩＰアドレス、端末名、ＭＡＣ［Media Access Control］アドレス等）に基づいて端末を識別して端末毎に別領域で保管する端末識別重複許可モード
なお、実施例４では、端末識別重複許可モードが設定されている場合を想定している。
【００９５】
端末Ａ２１が端末Ａ２１の印刷履歴を格納場所「ＵＲＬ＝http://Printer1.xxx.co.jp/tanaka.html」に格納するようにプリンタ１に対して指示すると、端末識別重複許可モードが設定されているプリンタ１は、指示に含まれる端末Ａ２１の端末情報を取得し、格納場所に印刷履歴と端末Ａ２１の端末情報とを併せて格納する。
【００９６】
端末Ｂ２２が端末Ｂ２２の印刷履歴を端末Ａ２１の印刷履歴の格納場所と同一の「ＵＲＬ＝http://Printer1.xxx.co.jp/tanaka.html」に格納するようにプリンタ１に対して指示すると、端末識別重複許可モードが設定されているプリンタ１は、指示に含まれる端末Ｂ２２の端末情報を取得し、格納場所に印刷履歴と端末Ｂ２２の端末情報とを併せて格納する。
【００９７】
そして、端末Ａ２１がプリンタ１に印刷履歴の参照を要求すると、プリンタ１は端末Ａ２１の印刷履歴の格納場所から端末Ａ２１の端末情報と併せて格納されている印刷履歴（即ち、端末Ａ２１の印刷履歴）を端末Ａ２１に送信する。
【００９８】
端末Ｂ２２がプリンタ１に印刷履歴の参照を要求すると、プリンタ１は端末Ｂ２２の印刷履歴の格納場所から端末Ｂ２２の端末情報と併せて格納されている印刷履歴（即ち、端末Ｂの印刷履歴）を端末Ｂ２２に送信する。
【００９９】
次に、端末Ａ、端末Ｂおよびプリンタで行われる端末Ａおよび端末Ｂの印刷履歴の格納場所を決定する処理の流れについて図１０に示すシーケンス図を参照して説明する。
【０１００】
当該処理が開始する前に、端末Ａの所有者であるユーザは、プリンタドライバの印刷履歴格納場所設定手段にプリンタ内の保存領域を示す格納場所（例えば、ＵＲＬ＝http://Printer1.xxx.co.jp/tanaka.html）を設定し、端末Ｂの所有者であるユーザは、プリンタドライバの印刷履歴格納場所設定手段にプリンタ内の保存領域を示す格納場所（例えば、ＵＲＬ＝http://Printer1.xxx.co.jp/tanaka.html）を設定する。
【０１０１】
また、端末が格納場所が重複しないように、ＵＲＬの一部に端末のＩＰアドレス、ＭＡＣアドレスを使用しても良いし、端末で時間的、物理的に一意であることを保証できる識別子であるＵＵＩＤ［Universal Unique Identifier］を作成し、ＵＲＬの一部に含ませても良い。
【０１０２】
端末Ａからプリンタに初めて印刷依頼する際に、端末Ａはプリンタドライバの印刷履歴格納場所設定手段に設定されたＵＲＬをプリンタに通知する（ステップＳ１００１）。
【０１０３】
プリンタは端末ＡからのＵＲＬの通知を受け付けると、ＵＲＬの正当性を確認し（ステップＳ１００２）、ＵＲＬが正当であれば、印刷履歴の格納場所として当該ＵＲＬを許可するＯＫ通知を端末Ａに送信する（ステップＳ１００３）。
【０１０４】
端末ＡはプリンタからのＯＫ通知を受信すると、プリンタドライバが印刷データをプリンタに送信する（ステップＳ１００４）。
【０１０５】
プリンタは端末Ａからの印刷データを受信すると、端末Ａから端末情報を取得し、印刷データの印刷処理を行い、当該端末情報および当該印刷処理の印刷履歴を当該ＵＲＬ先に格納する（ステップＳ１００５）。
【０１０６】
端末Ｂからプリンタに初めて印刷依頼する際に、端末Ｂはプリンタドライバの印刷履歴格納場所設定手段に設定されたＵＲＬをプリンタに通知する（ステップＳ１００６）。
【０１０７】
プリンタは端末ＢからのＵＲＬの通知を受け付けると、ＵＲＬの正当性を確認し（ステップＳ１００７）、ＵＲＬが正当であれば、印刷履歴の格納場所として当該ＵＲＬを許可するＯＫ通知を端末Ｂに送信する（ステップＳ１００８）。
【０１０８】
端末ＢはプリンタからのＯＫ通知を受信すると、プリンタドライバが印刷データをプリンタに送信する（ステップＳ１００９）。
【０１０９】
プリンタは端末Ｂからの印刷データを受信すると、端末Ｂから端末情報を取得し、印刷データの印刷処理を行い、当該端末情報および当該印刷処理の印刷履歴を当該ＵＲＬ先に格納する（ステップＳ１０１０）。
【０１１０】
そして、端末Ａで印刷履歴を参照する場合、端末ＡはＷｅｂブラウザで当該ＵＲＬを指定してプリンタにアクセスし、印刷履歴の参照をプリンタに要求する（ステップＳ１０１１）。
【０１１１】
プリンタは端末Ａからの印刷履歴の参照の要求を受け付けると、当該要求に含まれる端末Ａの端末情報を取得し、端末Ａの端末情報に基づいて端末Ａの端末情報と併せて格納されている印刷履歴（即ち、端末Ａの印刷履歴）を識別し（ステップＳ１０１２）、当該印刷履歴を端末Ａに送信する（ステップＳ１０１３）。
【０１１２】
端末Ａはプリンタからの印刷履歴を受信すると、当該印刷履歴をＷｅｂブラウザ等で表示する（ステップＳ１０１４）。
【０１１３】
端末Ｂで印刷履歴を参照する場合、端末ＢはＷｅｂブラウザで当該ＵＲＬを指定してプリンタにアクセスし、印刷履歴の参照をプリンタに要求する（ステップＳ１０１５）。
【０１１４】
プリンタは端末Ｂからの印刷履歴の参照の要求を受け付けると、当該要求に含まれる端末Ｂの端末情報を取得し、端末Ｂの端末情報に基づいて端末Ｂの端末情報と併せて格納されている印刷履歴（即ち、端末Ｂの印刷履歴）を識別し（ステップＳ１０１６）、当該印刷履歴を端末Ｂに送信する（ステップＳ１０１７）。
【０１１５】
端末Ｂはプリンタからの印刷履歴を受信すると、当該印刷履歴をＷｅｂブラウザ等で表示する（ステップＳ１０１８）。
【０１１６】
図１１は、印刷履歴保管手段で保管している印刷履歴の一例を示す図である。
【０１１７】
図１１に示すように、格納場所「ＵＲＬ＝http://Printer1.xxx.co.jp/tanaka.html」には、端末Ａの印刷履歴と併せて端末Ａの端末情報「IP=10.10.10.1」が保存され、端末Ｂの印刷履歴と併せて端末Ｂの端末情報「IP=10.10.10.2」が保存されている。
【０１１８】
次に、デバイス処理履歴格納システムで行われる処理の流れについて図１２乃至図１６に示すフローチャートを参照して説明する。
【０１１９】
図１２に示すフローチャートについて説明する。
【０１２０】
端末のプリンタドライバにＵＲＬ等が設定され（ステップＳ１２０１）、ユーザＩＤおよびパスワードも設定された場合（ステップＳ１２０２でＹＥＳ）、送信情報を「ＵＲＬ＋ユーザＩＤ＋パスワード」に設定し（ステップＳ１２０３）、ステップＳ１２０５に進む。
【０１２１】
ユーザＩＤおよびパスワードが設定されていない場合（ステップＳ１２０２でＮＯ）、送信情報を「ＵＲＬ」に設定し（ステップＳ１２０４）、ステップＳ１２０５に進む。
【０１２２】
そして、端末は印刷開始時に送信情報をプリンタに送信し（ステップＳ１２０４）、図１３に示すフローチャートのステップＳ１３０１に進む。
【０１２３】
続いて、図１３に示すフローチャートについて説明する。
【０１２４】
プリンタは端末からの送信情報を受信すると、ＵＲＬの正当性を確認し（ステップＳ１３０１）、ＵＲＬが正当である場合（ステップＳ１３０１でＹＥＳ）、ステップＳ１３０２進み、また、ＵＲＬが不当である場合（ステップＳ１３０１でＮＯ）、図１４に示すフローチャートのステップＳ１４０１に進む。
【０１２５】
ＵＲＬが正当である場合（ステップＳ１３０１でＹＥＳ）、ＵＲＬがプリンタの保存領域であるか外部サーバであるか確認し（ステップＳ１３０２）、ＵＲＬがプリンタの保存領域である場合（ステップＳ１３０２でＹＥＳ）、ステップＳ１３０３に進み、また、ＵＲＬが外部サーバである場合（ステップＳ１３０２でＮＯ）、図１５に示すフローチャートのステップＳ１５０１に進む。
【０１２６】
ＵＲＬがプリンタの保存領域である場合（ステップＳ１３０２でＹＥＳ）、ＵＲＬ重複時のモードの設定を確認し（ステップＳ１３０３）、重複不許可モードに設定されている場合（ステップＳ１３０３でＹＥＳ）、ステップＳ１３０４に進み、また、重複許可モードに設定されている場合（ステップＳ１３０３でＮＯ）、ステップＳ１３０５に進む。
【０１２７】
重複不許可モードに設定されている場合（ステップＳ１３０３でＹＥＳ）、ＵＲＬが重複しているか否か確認し（ステップＳ１３０４）、ＵＲＬが重複していない場合（ステップＳ１３０４でＮＯ）、ステップＳ１３０７に進み、また、ＵＲＬが重複している場合（ステップＳ１３０４でＹＥＳ）、図１４に示すフローチャートのステップＳ１４０１に進む。
【０１２８】
重複許可モードに設定されている場合（ステップＳ１３０３でＮＯ）、端末識別重複許可モードに設定されているか否か確認し（ステップＳ１３０５）、端末識別重複許可モードに設定されている場合（ステップＳ１３０５でＹＥＳ）、ステップＳ１３０６に進み、また、上書き重複許可モード若しくは追記重複許可モードに設定されている場合（ステップＳ１３０５でＮＯ）、ステップＳ１３０７に進む。
【０１２９】
端末識別重複許可モードに設定されている場合（ステップＳ１３０５でＹＥＳ）、端末からの送信情報に含まれている端末情報を取得し（ステップＳ１３０６）、ステップＳ１３０７に進む。
【０１３０】
そして、プリンタは印刷履歴ファイルを作成し（ステップＳ１３０７）、図１６に示すフローチャートのステップＳ１６０１に進む。
【０１３１】
続いて、図１４に示すフローチャートについて説明する。
【０１３２】
図１３に示すフローチャートにおいて、ＵＲＬが不当である場合（ステップＳ１３０１でＮＯ）、またはＵＲＬが重複している場合（ステップＳ１３０４でＮＯ）、図１５に示すフローチャートにおいて、外部サーバにアクセス不可能である場合（ステップＳ１５０４でＮＯ）、または印刷履歴ファイルにアクセス不可能である場合（ステップＳ１５０６でＮＯ）、プリンタは別のＵＲＬを作成し（ステップＳ１４０１）、当該別のＵＲＬを端末に提案する（ステップＳ１４０２）。
【０１３３】
端末はプリンタが提案した別のＵＲＬを使用するか否か決定し（ステップＳ１４０３）、プリンタが提案した別のＵＲＬを使用しない場合（ステップＳ１４０３でＮＯ）、ステップＳ１４０４に進み、また、プリンタが提案した別のＵＲＬを使用する場合（ステップＳ１４０３でＹＥＳ）、ステップＳ１３０５に進む。
【０１３４】
プリンタが提案した別のＵＲＬを使用しない場合（ステップＳ１４０３でＮＯ）、新規のＵＲＬを設定し（ステップＳ１４０４）、ステップＳ１４０４に進む。
【０１３５】
そして、端末はＵＲＬをプリンタに送信し（ステップＳ１４０５）、図１３に示すフローチャートのステップＳ１３０１に進む。
【０１３６】
続いて、図１５に示すフローチャートについて説明する。
【０１３７】
図１３に示すフローチャートにおいて、ＵＲＬが外部サーバである場合（ステップＳ１３０２でＮＯ）、プリンタは送信情報にユーザＩＤおよびパスワードが含まれているか確認し（ステップＳ１５０１）、送信情報にユーザＩＤおよびパスワードが含まれていない場合（ステップＳ１５０１でＮＯ）、ステップＳ１５０２に進み、また、送信情報にユーザＩＤおよびパスワードが含まれている場合（ステップＳ１５０１でＹＥＳ）、ステップＳ１５０３に進む。
【０１３８】
送信情報にユーザＩＤおよびパスワードが含まれていない場合（ステップＳ１５０１でＮＯ）、プリンタはＵＲＬ指定の外部サーバにアクセスし（ステップＳ１５０２）、ステップＳ１５０４に進む。
【０１３９】
送信情報にユーザＩＤおよびパスワードが含まれている場合（ステップＳ１５０１でＹＥＳ）、プリンタはユーザＩＤおよびパスワードを使用してＵＲＬ指定の外部サーバにアクセスし（ステップＳ１５０３）、ステップＳ１５０４に進む。
【０１４０】
そして、外部サーバにアクセス可能である場合（ステップＳ１５０４でＹＥＳ）、ステップＳ１５０５に進み、また、外部サーバにアクセス不可能である場合（ステップＳ１５０４でＮＯ）、図１４に示すフローチャートのステップＳ１４０１に進む。
【０１４１】
外部サーバにアクセス可能である場合（ステップＳ１５０４でＹＥＳ）、プリンタは印刷履歴ファイルを外部サーバに作成し（ステップＳ１５０５）、印刷履歴ファイルにアクセス可能である場合（ステップＳ１５０６でＹＥＳ）、図１６に示すフローチャートのステップＳ１６０１に進み、また、印刷履歴ファイルにアクセス不可能である場合（ステップＳ１５０６でＮＯ）、図１４に示すフローチャートのステップＳ１４０１に進む。
【０１４２】
続いて、図１６に示すフローチャートについて説明する。
【０１４３】
プリンタは端末にＵＲＬのＯＫを通知する（ステップＳ１６０１）。
【０１４４】
端末は印刷データをプリンタに送信する（ステップＳ１６０２）。
【０１４５】
プリンタはＵＲＬ先の印刷履歴を更新する（ステップＳ１６０３）。
【０１４６】
端末はＵＲＬ先にアクセスし、印刷履歴を要求する（ステップＳ１６０４）。
【０１４７】
プリンタ若しくは外部サーバは印刷履歴をプリンタに送信する（ステップＳ１６０５）。
【０１４８】
端末は印刷履歴を表示する（ステップＳ１６０６）。
【０１４９】
本発明は、上記し、且つ図面に示し実施例に限定することなく、その要旨を変更しない範囲内で適宜変形して実施できるものである。
【図面の簡単な説明】
【０１５０】
【図１】本発明に係るデバイス処理履歴格納システムの実施例１を示すシステム構成図である。
【図２】端末およびプリンタで行われる端末の印刷履歴の格納場所を決定する処理の流れを示すシーケンス図である。
【図３】印刷履歴保管手段で保管している印刷履歴の一例を示す図である。
【図４】本発明に係るデバイス処理履歴格納システムの実施例２を示すシステム構成図である。
【図５】、端末Ａおよびプリンタで行われる端末Ａの印刷履歴の格納場所を決定する処理の流れを示すシーケンス図である。
【図６】印刷履歴保管手段で保管している印刷履歴の一例を示す図である。
【図７】本発明に係るデバイス処理履歴格納システムの実施例３を示すシステム構成図である。
【図８】端末、プリンタおよび外部サーバで行われる端末の印刷履歴の格納場所を決定する処理の流れを示すシーケンス図である。
【図９】本発明に係るデバイス処理履歴格納システムの実施例４を示すシステム構成図である。
【図１０】端末Ａ、端末Ｂおよびプリンタで行われる端末Ａおよび端末Ｂの印刷履歴の格納場所を決定する処理の流れを示すシーケンス図である。
【図１１】印刷履歴保管手段で保管している印刷履歴の一例を示す図である。
【図１２】デバイス処理履歴格納システムで行われる処理の流れを示すフローチャートである。
【図１３】デバイス処理履歴格納システムで行われる処理の流れを示すフローチャートである。
【図１４】デバイス処理履歴格納システムで行われる処理の流れを示すフローチャートである。
【図１５】デバイス処理履歴格納システムで行われる処理の流れを示すフローチャートである。
【図１６】デバイス処理履歴格納システムで行われる処理の流れを示すフローチャートである。
【符号の説明】
【０１５１】
１    プリンタ
２、２１、２２    端末
３    ネットワーク
４、４１、４２    プリンタドライバ
５、５１、５２    Ｗｅｂブラウザ
６、６１、６２    印刷履歴格納場所設定手段
７    印刷履歴保管手段
８    外部サーバ
【図１】
0004581936.tif 000002
【図２】
0004581936.tif 000003
【図３】
0004581936.tif 000004
【図４】
0004581936.tif 000005
【図５】
0004581936.tif 000006
【図６】
0004581936.tif 000007
【図７】
0004581936.tif 000008
【図８】
0004581936.tif 000009
【図９】
0004581936.tif 000010
【図１０】
0004581936.tif 000011
【図１１】
0004581936.tif 000012
【図１２】
0004581936.tif 000013
【図１３】
0004581936.tif 000014
【図１４】
0004581936.tif 000015
【図１５】
0004581936.tif 000016
【図１６】
0004581936.tif 000017